【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
サンプルデータベースからのデータ及び調査データベースからのデータを相関付ける方法であって、
個人から生体分子を有するサンプルを取得し、同時に当該個人から調査データを取得する工程と、
前記調査データを調査データベース中に保存する工程と、
前記サンプル中の前記生体分子を解析する工程であって、生体分子の組成を決定し、組成データを生成する、前記解析する工程と、
前記組成データをサンプルデータベース中に保存する工程と、
前記サンプルデータベースからの前記組成データを前記調査データベースからの前記調査データに相関付ける工程とを有し、
前記生体分子は、タンパク質、小分子、代謝産物、ペプチド、ホルモン、および核酸から成る群から選択されるものである、方法。
【請求項２】
請求項１記載の方法において、前記サンプルは、尿、糞便、血液、個人の呼気、ヒトの細胞、毛髪、爪、唾液、粘液、および涙液から選択されるものである、方法。
【請求項３】
請求項１記載の方法において、前記個人は消費者である、方法。
【請求項４】
請求項１記載の方法において、前記解析する工程は、質量分析器を用いて実施されるものである、方法。
【請求項５】
請求項１記載の方法において、前記相関付ける工程は、消費者の行動を予測するために、またはターゲティング広告のために消費者の行動を予測するために、適した相関を生成するものである、方法。
【請求項６】
請求項１記載の方法において、前記調査データは生理的な測定からのデータを有するものである、方法。
【請求項７】
請求項６記載の方法において、前記生理的な測定は、心拍数、電気反応、体温、および瞳孔拡張から選択されるものである、方法。
【請求項８】
請求項１記載の方法において、前記調査データは１つ又は複数の質問に対する回答を有するものである、方法。
【請求項９】
請求項１記載の方法において、前記調査データは、個人の行動、選好、気分、知覚、感覚、精神的状態、心理的状態、身体的状態、又は感情的状態についての質問に対する回答を有するものである、方法。
【請求項１０】
請求項１記載の方法において、前記調査データは前記個人と親しい他人により生成されるものである、方法。
【請求項１１】
請求項１記載の方法において、前記個人は消費者であり、前記相関は消費者の行動を予測するために使用されるものである、方法。
【請求項１２】
請求項１記載の方法において、前記サンプルデータベースおよび前記調査データベースは複数の個人からのデータを有するものである、方法。
【請求項１３】
請求項１記載の方法であって、さらに、
第２の個人から生体分子を有する第２のサンプルを取得し、同時に当該第２の個人から第２の調査データを取得する工程と、
前記第２の個人からの前記第２の調査データを前記調査データベース中に保存し、更新された調査データベースを作成する工程と、
前記第２の個人からの前記第２のサンプル中の前記生体分子を解析し、生体分子の第２の組成を決定し、第２の組成データを生成する工程と、
前記第２の組成データを前記サンプルデータベース中に保存し、更新されたサンプルデータベースを作成する工程と、
前記更新されたサンプルデータベースからの前記組成データを前記更新された調査データベースからの前記調査データに相関付ける工程と
を有する、方法。
【請求項１４】
請求項１２記載の方法であって、さらに、
第３の個人から生体分子を有する第３のサンプルを取得し、同時に当該第３の個人から第３の調査データを取得する工程と、
前記第３の個人からの前記第３の調査データを前記調査データベース中に保存し、更新された調査データベースを作成する工程と、
前記第３の個人からの前記第３のサンプル中の生体分子を解析し、生体分子の第３の組成を決定し、第３の組成データを作成する工程と、
前記第３の組成データを前記サンプルデータベース中に保存し、更新されたサンプルデータベースを作成する工程と、
前記更新されたサンプルデータベースからの前記組成データを前記更新された調査データベースからの前記調査データに相関付ける工程と
を有する、方法。
【請求項１５】
請求項１４記載の方法において、前記サンプルデータベースおよび前記調査データベースは追加の個人からの追加組成データおよび調査データに基づいて進化するものである、方法。
【請求項１６】
個人の行動又は選好を予測する方法であって、
前記個人から生体分子を有するサンプルを取得する工程と、
前記サンプル中の前記生体分子を解析し、生体分子の組成を決定し、組成データを生成する工程と、
前記組成データを調査データベースからの調査データに相関付ける工程であって、前記組成データと前記調査データとの間の相関をを生成する、前記相関付ける工程と、
前記組成データと前記調査データベース中の前記調査データとの間の相関に基づいて、行動又は選好を予測する工程と
を有する、方法。
【請求項１７】
請求項１６記載の方法であって、さらに、サンプルデータベース中に前記組成データを保存する工程を有し、
前記調査データベースは前記個人から取得された調査データを有する、方法。
【請求項１８】
請求項１７記載の方法において、前記個人は消費者であり、前記予測する工程は、処理デバイスを用いて、消費者の行動を予測するために前記相関を使用する工程を有する、方法。
【請求項１９】
請求項１８記載の方法において、前記処理デバイスはコンピュータまたは携帯電話である、方法。
【請求項２０】
請求項１７記載の方法において、前記サンプルデータベースおよび前記調査データベースは複数の個人からの組成データおよび調査データをそれぞれ有するものである、方法。
【請求項２１】
組成データ及び調査データベースからの調査データを相関付ける方法であって、
個人から生体分子を有するサンプルを取得する工程と、
前記サンプル中の前記生体分子を解析し、生体分子の組成を決定し、前記組成データを生成する工程と、
前記組成データを前記調査データベースからの前記調査データに相関付ける工程と
を有する、方法。
【請求項２２】
請求項１５記載の方法において、前記相関付けられたデータは行動を明らかにするものである、方法。
【手続補正２】
【補正対象書類名】明細書
【補正対象項目名】０００６
【補正方法】変更
【補正の内容】
【０００６】
医学的状態を診断するために生体的な要素を測定している例には、広く利用されている妊娠検査並びに消費者及び医療検査所が利用する一般用医薬品の分析法のような検査が含まれる。しかしこれらの例は、行動を詳細に説明又は予測するわけではなく、そうした機能が販売者及び消費者に求められている。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第８０７３５０３号明細書
（特許文献２）  米国特許第８１７０６０９号明細書
（特許文献３）  米国特許第８２００５２５号明細書
（特許文献４）  米国特許出願公開第２００３／０００４６５５号明細書
（特許文献５）  米国特許出願公開第２００８／００３３８１９号明細書
（特許文献６）  米国特許出願公開第２００８／０３１８６２４号明細書
（特許文献７）  米国特許出願公開第２００９／０１１７８６１号明細書
（特許文献８）  米国特許出願公開第２００９／０１８２６２５号明細書
（特許文献９）  米国特許出願公開第２０１１／００１００９９号明細書
（特許文献１０）  米国特許出願公開第２０１２／００７２２３３号明細書
（特許文献１１）  韓国登録特許第１０−１１３２２６０号公報
（特許文献１２）  国際公開第２００３／０７０７４５号
（特許文献１３）  韓国公開特許第１０−２０１１−０１１９９９８号公報
（非特許文献）
（非特許文献１）  Ｉｎｔｅｒｎａｔｉｏｎａｌ  Ｓｅａｒｃｈ  Ｒｅｐｏｒｔ；Ｍａｉｌｅｄ  ２０１３−０９−０６  ｆｏｒ  ＰＣＴ  Ａｐｐｌｉｃａｔｉｏｎ  Ｎｏ．ＰＣＴ／ＵＳ２０１３／０４２５２７
（非特許文献２）  Ｅｕｒｏｐｅａｎ  Ｓｅａｒｃｈ  Ｒｅｐｏｒｔ；Ｍａｉｌｅｄ  ２０１５−１２−０１  ｆｏｒ  ＥＰ  Ａｐｐｌｉｃａｔｉｏｎ  Ｎｏ．ＥＰ１３７９４４６２．５